(57)【要約】  第１拡大部を通る断面であってプロペラファンの回転中心ＣＬに直交する断面において、回転中心ＣＬの方向に沿って投影的に見た場合、第１拡大部の拡大開始位置Ｐ０における翼の外径と同じ半径位置における点ＰＸと、翼の外周端Ｐ１とを結ぶ直線Ｌ１は、点ＰＸと、回転中心ＣＬとを通る直線Ｌ２に対して、回転方向Ｒと逆方向に傾いている。
2017060973.tif 000002
【特許請求の範囲】
【請求項１】
翼を有するプロペラファンと、
前記プロペラファンの外周を囲むベルマウスとを備え、
前記プロペラファンは、側方から見たときに、前記翼と前記ベルマウスとがオーバーラップする範囲に、下流に向かって前記翼の外径が拡大する第１拡大部を含み、
前記第１拡大部を通る断面であって前記プロペラファンの回転中心ＣＬに直交する断面において、前記回転中心ＣＬの方向に沿って投影的に見た場合、前記第１拡大部の拡大開始位置Ｐ０における前記翼の外径と同じ半径位置における点ＰＸと、前記翼の外周端Ｐ１とを結ぶ直線Ｌ１は、前記点ＰＸと、前記回転中心ＣＬとを通る直線Ｌ２に対して、回転方向Ｒと逆方向に傾いている、
送風装置。
【請求項２】
前記ベルマウスは、第２拡大部と、第３拡大部とを含んでおり、
前記第２拡大部は、前記第１拡大部の径方向外側に位置しており、
前記第３拡大部は、前記翼の後縁の外周端より下流側に位置しており、
前記第３拡大部の拡大率は、前記第２拡大部の拡大率より大きい、
請求項１の送風装置。
【請求項３】
前記ベルマウスの入口部の上流端Ｂ１と、前記第１拡大部の上流端と前記回転中心ＣＬの延びる方向でみた位置が同じである前記ベルマウスの部分Ｂ２とは、直管部で接続されている、
請求項１又は請求項２の送風装置。
【請求項４】
前記翼の後縁の外周端と前記回転中心ＣＬの延びる方向でみた位置が同じである前記ベルマウスの部分の内径ＩＤ１は、前記ベルマウスの上流端の内径ＩＤ２より小さい、
請求項１〜３の何れか一項の送風装置。
【請求項５】
前記プロペラファンは、前記ベルマウスの最小内径の部分より上流側に、上流に向かって前記翼の外径が拡大する第４拡大部を含み、
前記プロペラファンは、側方から見たときに、前記翼と前記ベルマウスとがオーバーラップする範囲内に、前記翼の外径が最小となる点Ｍｉを含む、
請求項１〜４の何れか一項の送風装置。
【請求項６】
前記プロペラファンは、ボスを含んでおり、
前記ボスは、前記第１拡大部と同じ軸方向位置において下流に向かって一定の拡大率で拡大する第５拡大部を含んでおり、
前記第５拡大部の拡大率は、前記第１拡大部の拡大率よりも小さい、
請求項１〜５の何れか一項の送風装置。
【請求項７】
請求項１〜６の何れか一項の送風装置と、熱交換器とを備えた、
室外機。
【請求項８】
請求項１〜６の何れか一項の送風装置と、圧縮機と、室外側熱交換器と、絞り装置と、負荷側熱交換器とを備えた、
冷凍サイクル装置。
【発明の詳細な説明】
【技術分野】
【０００１】
本発明は、送風装置、室外機及び冷凍サイクル装置に関するものである。
【背景技術】
【０００２】
冷媒回路を構成して、冷媒を循環させて対象空間等の加熱、冷却等を行う冷凍サイクル装置では、室内機と室外機とに分けて構成することが多い。そして、このような室外機（室外ユニット）では、翼（プロペラ）を有するプロペラファンを回転させて空気の流れを発生させ、送風（冷却、排熱等）を行っている。【０００３】
従来のプロペラファンに関する装置のなかには、例えば特許文献１に開示されているように、プロペラファンの後縁側の周囲にベルマウスが配置されている構成の装置がある。この装置では、翼の外周縁における前縁側最外周点からベルマウスの吸込側の端部における翼外周縁までの範囲の翼半径を、前縁側最外周点から連続的に増加させ、且つ、ベルマウス上流端からベルマウス内部のラップ部の中央点までの範囲の翼半径を、連続的に減少させ、且つ、ラップ部の中央点から後縁側最外周点までの範囲の翼半径を、連続的に増加させている。
【先行技術文献】
【特許文献】
【０００４】
【特許文献１】特開２００１−２２７４９７号公報（第１０図）
【発明の概要】
【発明が解決しようとする課題】
【０００５】
室外機では、気流は、室外機の筐体の背面と側面とから筐体内に流入し、熱交換器を通過し、さらにプロペラファンとベルマウスとを通過し、筐体の外に流出することとなる。このとき、プロペラファンの下流側では、プロペラファンの後流とグリルとの干渉により騒音が発生する可能性が有る。これに関しては、プロペラファン外周側においては、吹出風速が最も高くなるため、外周側の風速を低減することが騒音低減に最も有効である。【０００６】
ここで、上述した特許文献１に開示の構成を、室外機に適用した場合、プロペラファンとベルマウスとのラップ部の中央点から後縁に従って、翼外径が拡大するため、流れが翼に沿って拡大した場合には、吹出面積が拡大し、風速が低減されるため、騒音低減が可能になる。しかしながら、気流が翼に沿わない場合には、拡大部において渦が発生し、騒音悪化の原因となる。【０００７】
本発明は、上記に鑑みてなされたものであり、プロペラファンの後縁側における翼半径の拡大部において渦を発生させることなく、且つ、吹出口面積の拡大により風速を低減して低騒音化を図ることができる、室外機を提供することを目的とする。
【課題を解決するための手段】
【０００８】
上述した目的を達成するため、本発明の送風装置は、複数の翼を有するプロペラファンと、前記プロペラファンの外周を囲むベルマウスとを備え、前記プロペラファンは、前記ベルマウスとのオーバーラップ部に、下流側翼外径拡大部を含み、前記下流側翼外径拡大部を通る断面であって前記プロペラファンの回転中心ＣＬに直交する断面において、前記回転中心ＣＬの方向に沿って投影的に見た場合、前記下流側翼外径拡大部の開始位置Ｐ０における翼外径と同じ半径位置における点ＰＸと、前記プロペラファンの外周端Ｐ１とを結ぶ直線Ｌ１は、前記点ＰＸと、前記回転中心ＣＬとを通る径方向直線Ｌ２に対して、回転方向Ｒと逆方向に傾いている。
【発明の効果】
【０００９】
本発明によれば、プロペラファンの後縁側における翼半径の拡大部において渦を発生させることなく、且つ、吹出口面積の拡大により風速を低減して低騒音化を図ることができる。
【図面の簡単な説明】
【００１０】
【図１】本発明の実施の形態１に関し、室外機を示す斜視図である。
【図２】本発明の実施の形態１に関し、室外機の構成を説明するための図である。
【図３】本発明の実施の形態１に関し、ファングリルを外した構成図である。
【図４】本発明の実施の形態１に関し、前面パネル等を取り外した構成図である。
【図５】本発明の実施の形態１に関し、プロペラファンを側方から示す図である。
【図６】本発明の実施の形態１に関し、プロペラファンの翼の断面を示す図である。
【図７】図６のプロペラファンに関する斜視図である。
【図８】本発明の実施の形態２に関し、ベルマウスを説明するための図である。
【図９】本発明の実施の形態３に関し、ベルマウスを説明するための図である。
【図１０】本発明の実施の形態４に関し、ベルマウスを説明するための図である。
【図１１】本発明の実施の形態５に関し、プロペラファンを説明するための図である。
【図１２】図１１のプロペラファンに関する斜視図である。
【図１３】本発明の実施の形態６に関し、プロペラファンを説明するための図である。
【図１４】本発明の実施の形態７に関し、空気調和装置の構成図である。
【発明を実施するための形態】
【００１１】
以下、本発明の実施の形態について添付図面に基づいて説明する。なお、図中、同一符号は同一又は対応部分を示すものとする。
【００１２】
実施の形態１．
図１は、本発明の実施の形態１に関し、室外機を示す斜視図であり、吹出口から見た図である。また、図２は、上面側から室外機の構成を説明するための図である。図３は、本発明の実施の形態１に関し、プロペラファングリルを外した構成図である。図４は、本発明の実施の形態１に関し、前面パネル等を取り外した構成図である。
【００１３】
図１〜図４に示すように、室外機５０の本体１は、２つの側面１ａ及び１ｃ、前面１ｂ、背面１ｄ、上面１ｅ並びに底面１ｆを有する筐体で構成されている。側面１ａ及び背面１ｄは外部から空気を吸込むために開口部分を有している。また、前面１ｂは外部に空気を吹出す吹出口３となる開口部分を有する前面パネル２で構成している。そして、吹出口３は、プロペラファン８との接触を防止して安全をはかるためにプロペラファングリル４で覆われている。プロペラファングリル４は前面パネル２に取り付けられている。
【００１４】
本体１内には、回転軸１２を中心に回転して気体の流れを発生させるプロペラファン８が設置されている。プロペラファン８は、ボス９の周囲に複数（例えば３枚）の翼１０を有する。プロペラファン８は、背面側にあるプロペラファンモータ１１で回転駆動される。そして、本体１の内部は仕切板５によってプロペラファン８が設置されている送風室６と圧縮機６０６等が設置されている機械室７に分けられている。側面１ａと背面１ｄの内側には略Ｌ字状の熱交換器１８が設けられている。
【００１５】
上述したように、熱交換器１８、前面パネル２等で囲まれた送風室６には、プロペラファン８が設置されている。プロペラファン８の径方向外側には、翼１０の回転方向に沿って、翼１０の外周端より外側に、吹出口３の外周を囲むように円環状のベルマウス１３が前面パネル２と一体または別体として取り付けられる。このベルマウス１３は吸込側と吹出側とを区切って吹出口３近傍の風路を構成するものである。また、ベルマウス１３は、プロペラファン８の外周を囲むように翼の回転方向に沿って壁面を形成し、プロペラファンによる気体の流れを整流する。
【００１６】
一方、プロペラファン８の吸込み側には、熱交換器１８が側面１ａと背面１ｄにかけてＬ字状に設けられている。この熱交換器１８は、板状の面が平行になるように並設された複数のフィンと、その並設方向に各フィンを貫通する伝熱管で構成される。そして伝熱管内には、冷媒回路を循環する冷媒が循環する。本実施の形態の熱交換器１８は、伝熱管が本体１の側面１ａと背面１ｄにかけてＬ字状に延び、高さ方向に複数段の伝熱管がフィンを貫通するように構成される。また、熱交換器１８は、配管１５等を介して圧縮機６０６と接続し、空気調和装置の冷媒回路を構成する。そして、基板箱１６内の制御基板１７により室外機内に搭載された機器を制御する。
【００１７】
図５は、実施の形態１に関し、プロペラファンを側方から示す図、図６は、実施の形態１に関し、プロペラファンの翼の断面を示す図である。なお、図５に示す矢印は本体１内を通過する気体の流れを示しており、熱交換器１８側（図５の左側）を上流、ベルマウス１３側（図５の右側）を下流として以下説明をする。また、図５において、プロペラファン８の回転中心ＣＬと直交する方向（図５の上下方向）を径方向とし、回転中心ＣＬに近づく方向を径方向内側、回転中心ＣＬから離れる方向を径方向外側として以下説明する。さらに、図６に示す翼１０の断面は、プロペラファン８の回転中心ＣＬに直交する向きに切断したときの断面である。
【００１８】
図５に示すように、ベルマウス１３は、上流に向けて径が拡大する入口部１３ｃと、入口部１３ｃの下流側から連続して下流に向けて径が拡大する拡大部を有する。プロペラファン８は、翼１０とベルマウス１３とがオーバーラップするオーバーラップ部１９の範囲において、下流に向かって翼１０の外径が拡大する第１拡大部としての下流側翼外径拡大部１０ａを持つ。下流側翼外径拡大部１０ａは、ベルマウス１３の入口部１３ｃより下流側から始まり、吹出口３の上流側まで設ける。図５では、一例として、下流側翼外径拡大部１０ａの拡大率が、下流側に向かって一定である態様を示しているが、順次、拡大率が大きくなる曲面（例えば、プロペラファン中央側に凸となる曲面）でもよい。なお、オーバーラップ部１９の範囲において、下流側翼外径拡大部１０ａの外周端とベルマウス１３の内径との隙間は一定となっている。
【００１９】
図６および図７に示すように、下流側翼外径拡大部１０ａは、下流側翼外径拡大部を通る断面であってプロペラファン８の回転中心ＣＬに直交する断面において回転中心ＣＬの方向に沿って投影的に見た場合、下流側翼外径拡大部１０ａの拡大開始位置Ｐ０における翼１０の外径と同じ半径位置における点ＰＸと、翼１０の外周端Ｐ１とを結ぶ直線Ｌ１が、当該点ＰＸと、プロペラファン８の回転中心ＣＬとを通る直線Ｌ２に対して、回転方向Ｒと逆方向に傾いて構成される。
【００２０】
次に、本実施の形態の室外機５０における送風動作について図に基づいて説明する。室外機５０において、プロペラファン８が回転すると、本体１の外部から空気を吸い込む。これにより、側面１ａおよび背面１ｄから、熱交換器１８に空気が流入して熱交換がなされる。その後、プロペラファン８、さらにベルマウス１３を通過して、吹出口３から室外に空気が吹き出される。このとき、図２等に示すように、吹出口３から室外に導かれる気流Ａが発生する。
【００２１】
さらに、図５および図６に基づいて、プロペラファン８を通過する気流の流れについて説明する。図５に示すように、熱交換器１８を通過し送風室６の内部に流入した気流は、プロペラファン８とベルマウス１３を通過した後、送風室６の外部へ流出する。下流側翼外径拡大部１０ａにおいては、図６に示すように空気が翼１０から受ける力Ｆの方向がプロペラファン８の回転方向Ｒよりも径方向外向きのため、気流が径方向に広がりやすく、ベルマウス１３に沿った流れになる。
【００２２】
以上のように、実施の形態１の冷凍サイクル装置の室外機５０によれば、プロペラファン８のオーバーラップ部１９の下流側翼外径拡大部１０ａにおいて、渦を発生させることなく、吹出口３の面積を拡大でき、吹出風速の低減による低騒音化を図ることができる。
【００２３】
実施の形態２．
次に、図８を用いて、本発明の実施の形態２を説明する。図８は、本実施の形態２に関する、図５と同態様の図である。なお、本実施の形態２は、以下に説明または限定する部分を除いては、上述した実施の形態１と同様であるものとする。
【００２４】
本実施の形態２においては、ベルマウス１１３は、第２拡大部である、第１のベルマウス径拡大部１１３ａと、第３拡大部である、第２のベルマウス径拡大部１１３ｂとを含んでいる。第１のベルマウス径拡大部１１３ａは、プロペラファン８の下流側翼外径拡大部１０ａの径方向外側に位置している。また、第１のベルマウス径拡大部１１３ａは、ベルマウス１１３の内径が下流に向かって拡大する部分である。第２のベルマウス径拡大部１１３ｂは、第１のベルマウス径拡大部１１３ａの下流側に位置する部分であり、すなわち、プロペラファン８の後縁の外周端より下流側に位置する部分である。また、第２のベルマウス径拡大部１１３ｂも、ベルマウス１１３の内径が下流に向かって拡大する部分である。第２のベルマウス径拡大部１３ｂの拡大率は、第１のベルマウス径拡大部１３ａの拡大率より大きい。
【００２５】
本実施の形態２によれば、上記実施の形態１と同様な利点が得られることに加え、次のような利点が得られる。プロペラファン８の後縁から吹出された気流が、さらに径方向に広がった場合に、ベルマウス１１３の壁面に気流が衝突することなく、吹出口３から吹出され、さらに吹出面積が拡大されるため、吹出風速が低減され、低騒音化を図ることができる。
【００２６】
実施の形態３．
次に、図９を用いて、本発明の実施の形態３を説明する。図９は、本実施の形態３に関する、図５と同態様の図である。なお、本実施の形態３は、以下に説明または限定する部分を除いては、上述した実施の形態１または２と同様であるものとする。なお、図９は、以下に説明または限定する部分を除いて、上述した実施の形態２と同様である場合を例示している。
【００２７】
本実施の形態３においては、ベルマウス２１３は、上流側から下流側に向かって内径が一定となる直管部２１３ｄを含んでいる。直管部２１３ｄは、ベルマウス２１３の入口部の下流端Ｂ１と第１のベルマウス径拡大部１１３ａの上流端Ｂ２とを接続している。第１のベルマウス径拡大部１１３ａの上流端Ｂ２は、プロペラファン８の下流側翼外径拡大部１０ａの上流端の径方向外側に位置している。また、ベルマウス２１３の入口部の下流端Ｂ１の径方向内側に位置する部分の翼１０の外径と、プロペラファン８の下流側翼外径拡大部１０ａの上流端における翼１０の外径とは等しい。それ以外については、プロペラファン８の下流側翼外径拡大部１０ａは、上述した下流側翼外径拡大部１０ａと同じである。
【００２８】
本実施の形態３によれば、上記実施の形態１または２と同様な利点が得られることに加え、次のような利点が得られる。ベルマウス２１３の入口部で気流が流入したあと、均一の風路断面積の直管部２１３ｄを通過するため、直管部２１３ｄで気流を安定させてから下流側翼外径拡大部１０ａに流入させることができる。直管部２１３ｄで気流が安定するため、ベルマウス１３の表面で気流がはく離を生じにくく、はく離による渦が生じにくいため、さらに低騒音化を図ることができる。
【００２９】
実施の形態４．
次に、図１０を用いて、本発明の実施の形態４を説明する。図１０は、本実施の形態４に関する、図５と同態様の図である。なお、本実施の形態４は、以下に説明または限定する部分を除いては、上述した実施の形態１〜３の何れかと同様であるものとする。図１０は、以下に説明または限定する部分を除いて、上述した実施の形態３と同様である場合を例示している。
【００３０】
本実施の形態４においては、プロペラファン８の後縁の外周端（下流側翼外径拡大部１０ａの下流端）の径方向外側に位置するベルマウス２１３の部分の内径ＩＤ１が、ベルマウス２１３の入口部の上流端の内径ＩＤ２より小さい。
【００３１】
本実施の形態４によれば、上記実施の形態１〜３と同様な利点が得られることに加え、次のような利点が得られる。プロペラファン８の最小外径は、ベルマウス２１３の入口部の上流端の内径ＩＤ２により決まり、ベルマウス２１３の入口部の上流端の内径ＩＤ２は、室外機５０の筐体寸法によって決定される。上記構成とすることで、ベルマウス２１３の入口部の上流端の外径を最大限大きくできるため、それに伴い、プロペラファン８の最小外径を最大にとることができる。そのため、ベルマウス２１３の通過風速を低減でき、さらに低騒音化を図ることができる。
【００３２】
実施の形態５．
次に、図１１および図１２を用いて、本発明の実施の形態５を説明する。図１１は、本実施の形態５に関する、図５と同態様の図である。なお、本実施の形態５は、以下に説明または限定する部分を除いては、上述した実施の形態１〜４の何れかと同様であるものとする。なお、図１１は、以下に説明または限定する部分を除いて、上述した実施の形態３と同様である場合を例示している。
【００３３】
以下の説明は、上記の実施の形態３のベルマウス２１３に、本実施の形態５の特徴を適用した場合の例である。本実施の形態５においては、プロペラファン４０８は、ベルマウス２１３の最小内径の部分より上流側に、上流に向かって翼１０の外径が拡大する、第４拡大部としての上流側翼外径拡大部１０ｂを含み、オーバーラップ部１９の範囲内に翼１０の外径が最小となる点Ｍｉを含む。より詳細には、プロペラファン４０８は、ベルマウス２１３の最小内径の部分（ベルマウス２１３では直管部２１３ｄの上流端）より上流側に、下流に向かって翼外径が縮小する縮小部１０ｃを含む。
【００３４】
本実施の形態５によれば、ベルマウス２１３の最小内径位置より上流側において翼１０の外径が拡大されるため、プロペラファン４０８の仕事が増加し、プロペラファン４０８の回転数を小さくすることができる。そのため、さらに低騒音化を図ることができる。
【００３５】
ここで、ベルマウスの最小内径の部分より上流側のプロペラファンの翼の外径と、ベルマウスの最小内径の部分より下流側のプロペラファンの翼の外径とが、ベルマウスの最小内径より大きい場合、ベルマウスは、少なくとも２つ以上の部品から構成され、周方向に分割した部品で組み立てられる構成とする。このようなベルマウスは、室外機の筐体と別部品で構成され、例えば、樹脂製の上下２分割の構成とし、プロペラファンを配置後に２分割されていた部品を合体させ、ベルマウスを筐体に固定する。
【００３６】
実施の形態６．
次に、図１３を用いて、本発明の実施の形態６を説明する。図１３は、本実施の形態６に関する、図５と同態様の図である。なお、本実施の形態６は、以下に説明または限定する部分を除いては、上述した実施の形態１〜５の何れかと同様であるものとする。なお、図１３は、以下に説明または限定する部分を除いて、上述した実施の形態３と同様である場合を例示している。
【００３７】
以下の説明は、上記の実施の形態３のベルマウス２１３に、本実施の形態６の特徴を適用した場合の例である。本実施の形態６においては、プロペラファン５０８は、中央部に円筒状のボス９を含んでおり、ボス９は、下流側翼外径拡大部１０ａと同じ軸方向位置において下流に向かって一定の拡大率で拡大する、第５拡大部としてのボス径拡大部９ａを含み、ボス径拡大部９ａの拡大率は、下流側翼外径拡大部１０ａの拡大率よりも小さい。
【００３８】
本実施の形態６によれば、プロペラファン５０８の吹出流れが径方向に広がる流れであっても、ボス９の外周面における気流のはく離を抑制することができる。さらに、ボス径拡大部９ａの拡大率を、下流側翼外径拡大部１０ａの拡大率よりも小さくすることで、ボス９の外径と翼１０の外周端との間の風路は拡大風路となり、吹出面積が拡大されるため、吹出風速を小さくすることができ、それによっても、低騒音化を図ることができる。
【００３９】
実施の形態７．
次に、図１４を用いて、本発明の実施の形態７について説明する。本実施の形態７は、上述した実施の形態１〜６の何れかの室外機を有する冷凍サイクル装置であり、そのような冷凍サイクル装置の一例として、具体的には、空気調和装置を説明する。図１４は、本発明の実施の形態７に関し、空気調和装置の構成図である。
【００４０】
空気調和装置６００は、室外機５０と、室内機５２とを備えている。これら室外機５０および室内機５２は冷媒配管で連結されており、それにより構成された冷媒回路に冷媒が循環される。冷媒配管のうち、気体の冷媒（ガス冷媒）が流れる配管をガス配管６０２とし、液体の冷媒（液冷媒。気液二相冷媒の場合もある）が流れる配管を液配管６０４とする。室外機５０は、上述した実施の形態１〜６の何れかの室外機である。
【００４１】
室外機５０は、本実施の形態においては、圧縮機６０６、四方弁６０８、室外側熱交換器６１０、室外側送風部６１２、絞り装置（膨張弁）６１４で構成する。
【００４２】
圧縮機６０６は、吸入した冷媒を圧縮して吐出する。ここで、圧縮機６０６は、インバータ装置等を備え、運転周波数を任意に変化させることにより、圧縮機６０６の容量（単位時間あたりの冷媒を送り出す量）を細かく変化させることができるものとする。四方弁６０８は、制御装置（図示せず）からの指示に基づいて冷房運転時と暖房運転時とによって冷媒の流れを切り換える。
【００４３】
また、室外側熱交換器６１０は、冷媒と空気（室外の空気）との熱交換を行う。例えば、暖房運転時においては蒸発器として機能し、液配管６０４から流入した低圧の冷媒と空気との熱交換を行い、冷媒を蒸発させ、気化させる。また、冷房運転時においては凝縮器として機能し、四方弁６０８側から流入した圧縮機６０６において圧縮された冷媒と空気との熱交換を行い、冷媒を凝縮して液化させる。室外側熱交換器６１０は、上述した実施の形態１〜６の何れかの熱交換器１８である。
【００４４】
室外側熱交換器６１０には、冷媒と空気との熱交換を効率よく行うため、室外側送風部６１２が設けられており、すなわち、この室外側送風部６１２は、上述した実施の形態１〜６の何れかのプロペラファンである。なお、図１４においては、上述した実施の形態１〜６において室外機における、熱交換器およびプロペラファン、以外の構成の図示は省略している。
【００４５】
室外側送風部６１２についても、インバータ装置によりプロペラファンモータ１１（図２に図示）の運転周波数を任意に変化させてプロペラファンの回転速度を細かく変化させるようにしてもよい。絞り装置６１４は、開度を変化させることで、冷媒の圧力等を調整するために設ける。
【００４６】
一方、室内機５２は、負荷側熱交換器６１６及び負荷側送風部６１８で構成される。負荷側熱交換器６１６は、冷媒と空気との熱交換を行う。例えば、暖房運転時においては凝縮器として機能し、ガス配管６０２から流入した冷媒と空気との熱交換を行い、冷媒を凝縮させて液化（又は気液二相化）させ、液配管６０４側に流出させる。一方、冷房運転時においては蒸発器として機能し、例えば絞り装置６１４により低圧状態にされた冷媒と空気との熱交換を行い、冷媒に空気の熱を奪わせて蒸発させて気化させ、ガス配管６０２側に流出させる。また、室内機５２には、熱交換を行う空気の流れを調整するための負荷側送風部６１８が設けられている。この負荷側送風部６１８の運転速度は、例えば利用者の設定により決定される。特に限定するものではないが、負荷側送風部６１８としても、上述した実施の形態１〜６の何れかのプロペラファンを用いることができる。
【００４７】
以上のように実施の形態７の空気調和装置では、実施の形態１〜６において説明したプロペラファンを含む室外機を用いることで、風量低下、騒音の抑制等を実現することができる。
【００４８】
以上、好ましい実施の形態を参照して本発明の内容を具体的に説明したが、本発明の基本的技術思想及び教示に基づいて、当業者であれば、種々の改変態様を採り得ることは自明である。
【００４９】
本発明の送風装置は、プロペラファンと、ベルマウスとを備えた装置として広く実施することができる。上述した実施の形態は、本発明の送風装置を、空気調和装置の室外機として実施した場合に過ぎない。空気調和装置は、冷凍サイクル装置の一例であり、他の例を挙げるならば、給湯器を挙げることができる。よって、本発明は、給湯器の室外機として実施することも可能である。
【符号の説明】
【００５０】
８、４０８、５０８  プロペラファン、９ａ  ボス径拡大部、１０  翼、１０ａ  下流側翼外径拡大部、１０ｂ  上流側翼外径拡大部、１０ｃ  縮小部、１３、１１３  ベルマウス、１８  熱交換器、５０  室外機、５２  室内機、１１３ａ  第１のベルマウス径拡大部、１１３ｂ  第２のベルマウス径拡大部、６００  空気調和装置、６０２  ガス配管、６０４  液配管、６０６  圧縮機、６１０  室外側熱交換器、６１４  絞り装置（膨張弁）、６１６  負荷側熱交換器。
【図１】
2017060973.tif 000003
【図２】
2017060973.tif 000004
【図３】
2017060973.tif 000005
【図４】
2017060973.tif 000006
【図５】
2017060973.tif 000007
【図６】
2017060973.tif 000008
【図７】
2017060973.tif 000009
【図８】
2017060973.tif 000010
【図９】
2017060973.tif 000011
【図１０】
2017060973.tif 000012
【図１１】
2017060973.tif 000013
【図１２】
2017060973.tif 000014
【図１３】
2017060973.tif 000015
【図１４】
2017060973.tif 000016
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
翼を有するプロペラファンと、
前記プロペラファンの外周を囲むベルマウスとを備え、
前記プロペラファンは、側方から見たときに、前記翼と前記ベルマウスとがオーバーラップする範囲に、下流に向かって前記翼の外径が拡大する第１拡大部を含み、
前記第１拡大部を通る断面であって前記プロペラファンの回転中心ＣＬに直交する断面において、前記回転中心ＣＬの方向に沿って投影的に見た場合、前記第１拡大部の拡大開始位置Ｐ０における前記翼の外径と同じ半径位置における点ＰＸと、前記翼の外周端Ｐ１とを結ぶ直線Ｌ１は、前記点ＰＸと、前記回転中心ＣＬとを通る直線Ｌ２に対して、回転方向Ｒと逆方向に傾いており、
前記ベルマウスは、第２拡大部と、第３拡大部とを含んでおり、
前記第２拡大部は、前記第１拡大部の径方向外側に位置しており、
前記第３拡大部は、前記翼の後縁の外周端より下流側に位置しており、
前記第３拡大部の拡大率は、前記第２拡大部の拡大率より大きい、
送風装置。
【請求項２】
前記ベルマウスの入口部の上流端Ｂ１と、前記第１拡大部の上流端と前記回転中心ＣＬの延びる方向でみた位置が同じである前記ベルマウスの部分Ｂ２とは、直管部で接続されている、
請求項１の送風装置。
【請求項３】
前記翼の後縁の外周端と前記回転中心ＣＬの延びる方向でみた位置が同じである前記ベルマウスの部分の内径ＩＤ１は、前記ベルマウスの上流端の内径ＩＤ２より小さい、
請求項１または２の送風装置。
【請求項４】
前記プロペラファンは、前記ベルマウスの最小内径の部分より上流側に、上流に向かって前記翼の外径が拡大する第４拡大部を含み、
前記プロペラファンは、側方から見たときに、前記翼と前記ベルマウスとがオーバーラップする範囲内に、前記翼の外径が最小となる点Ｍｉを含む、
請求項１〜３の何れか一項の送風装置。
【請求項５】
前記プロペラファンは、ボスを含んでおり、
前記ボスは、前記第１拡大部と同じ軸方向位置において下流に向かって一定の拡大率で拡大する第５拡大部を含んでおり、
前記第５拡大部の拡大率は、前記第１拡大部の拡大率よりも小さい、
請求項１〜４の何れか一項の送風装置。
【請求項６】
請求項１〜５の何れか一項の送風装置と、熱交換器とを備えた、
室外機。
【請求項７】
請求項１〜５の何れか一項の送風装置と、圧縮機と、室外側熱交換器と、絞り装置と、負荷側熱交換器とを備えた、
冷凍サイクル装置。
【国際調査報告】
2017060973.tif 000017
2017060973.tif 000018
2017060973.tif 000019
2017060973.tif 000020